(57)【要約】【課題】  演奏中に聴取位置を変更しても各チャンネルの音声信号に対して最適な調整を施すことができるようにすることを目的とする。【解決手段】  所定位置に配置された複数のスピーカＳＰ１，ＳＰ２‥‥ＳＰ６と、この複数のスピーカＳＰ１，ＳＰ２‥‥ＳＰ６に各々音声信号を供給すると共にこの各々の音声信号の調整処理をする音響調整手段１と、この複数のスピーカＳＰ１，ＳＰ２‥‥ＳＰ６の各々に対応して設けた複数の受信装置Ｒ１，Ｒ２‥‥Ｒ６と、聴取位置に配した無線送信装置２と、この複数の受信装置Ｒ１，Ｒ２‥‥Ｒ６よりの受信信号が供給され、この聴取位置の相対位置を検出する相対位置検出手段４とを有し、任意時にこの相対位置検出手段４の出力信号に応じて、この音響調整手段１においてこの各々の音声信号に対して所望の調整処理を行うようにしたものである。【選択図】        図１
2006254361.tif 000002
【特許請求の範囲】
【請求項１】
所定位置に配置された複数のスピーカと、
前記複数のスピーカに各々音声信号を供給すると共に前記各々の音声信号の調整処理をする音響調整手段と、
前記複数のスピーカの各々に対応して設けた複数の受信装置と、
聴取位置に配した無線送信装置と、
前記複数の受信装置よりの受信信号が供給され、前記聴取位置の相対位置を検出する相対位置検出手段とを有し、
任意時に前記相対位置検出手段の出力信号に応じて、前記音響調整手段において前記各々の音声信号に対して所望の調整処理を行うようにしたことを特徴とする音響調整装置。
【請求項２】
請求項１記載の音響調整装置において、
前記無線送信装置の無線送信信号は可聴周波数帯域より高い所定レベルであることを特徴とする音響調整装置。
【請求項３】
請求項１記載の音響調整装置において、
前記相対位置検出手段は前記複数の受信装置の同時刻の受信レベルを得るようにしたことを特徴とする音響調整装置。
【発明の詳細な説明】
【技術分野】
【０００１】
本発明は、例えば、家庭内において、ＤＶＤ（Digital Versatile Disc）等のマルチチャンネルのコンテンツを楽しむ環境において、最適な音響再生環境になるように出力される音声信号に対して自動調整を行うようにした音響調整装置に関する。
【背景技術】
【０００２】
家庭内にいわゆるホームシアターシステムを構築し、ＤＶＤ等で提供されるマルチチャンネルの映画などのコンテンツを楽しむ環境を整えることが広く行われるようになってきている。ここでいわゆるマルチチャンネルのコンテンツは、多チャンネルの音声信号を有するもので、ドルビーデジタルＡＣ―３（登録商標）方式、ＤＴＳ（Digital Theater System（登録商標））方式などがある。
【０００３】
例えば、５．１チャンネルのマルチチャンネルのコンテンツに対応可能なホームシアターシステムの場合には、聴取者の前方に配置されるセンタースピーカ（Ｃ）、左スピーカ（Ｌ）、右スピーカ（Ｒ）、視聴者の後方に配置される左リアスピーカ（ＳＬ）、右リアスピーカ（ＳＲ）、さらに聴取者の前方に配置されるサブウーハー（Ｓｕｂ）の６つのスピーカから音声（音響）を放音することにより、臨場感のある音響の聴取が可能な音響再生環境を形成するようにしている。
【０００４】
そして、マルチチャンネルのホームシアターシステムの場合、目的とするリスニングポジション（聴取位置）においての良好な再生音場を形成できるようにするために、各チャンネル（音声チャンネル）の音声信号に施す調整のための調整パラメータの設定を自動的に行うようにすることが考えられている。その一例として、マルチチャンネル対応のＡＶ（Audioand Visual）アンプ装置に自動音響調整機能を搭載するようにしたものがある。
【０００５】
例えば、図５に示すように５．１チャンネル対応のＡＶアンプ装置１００に、自動音響調整機能を搭載したものが実現されている（特許文献１）。ここで、Ｌ、Ｃ、Ｒ、ＳＬ、ＳＲ、Ｓｕｂのそれぞれは、聴取者の周囲に設置されるスピーカを示している。このＡＶアンプ装置１００は、図６に示すように構成され、リスニングポジションに設置されるマイクロホンＭｉｃによって収音された音声信号の供給を受け付けるマイク入力端子１０１ａが設けられたものである。
【０００６】
このＡＶアンプ装置１００の場合、音声を放音するスピーカを順次に変えてテスト音声を放音するようにし、これをリスニングポジションの測定マイクロホンＭｉｃで収音して、マイク入力端子１０１ａを通じてＡＶアンプ装置１００に供給し、マイクアンプ１０２、Ａ／Ｄコンバータ１０３を介して、ＤＳＰ（Digital Signal Processor）１０５の内部のＲＡＭ、若しくは、制御部１０８のＲＡＭに保存する。
【０００７】
この保存した収音テスト信号（収音データ）と元のテスト信号（リファレンス信号）とを用いてＤＳＰ１０５において信号処理により音響解析を行い、この解析結果に基づいて各チャンネルに対する調整パラメータを生成する。そして、生成した調整パラメータを音声信号に対して調整処理を施すＤＳＰ１０５に設定することにより、各チャンネルの音声信号に対して最適な調整を施すことができるようにしている。
【０００８】
なお、図６において、入力端子１０１ｂから１０１ｅは、種々のＡＶ機器からの音声信号の入力を受け付けるものであり、出力端子１０９ａから１０９ｆは、各チャンネルに対応した音声信号の出力端である。また、Ｄ／Ａ変換部１０６は、各チャンネルの音声信号をアナログ信号に変換するものであり、増幅部１０７は、各チャンネルのアナログ信号を増幅させるものである。
【０００９】
上述したＡＶアンプ装置に自動音響調整機能を搭載するようにする技術については、非特許文献１（Ｗｅｂページの情報）に掲載されている如く周知である。
【非特許文献１】徹底研究「自動音場補正機能ＭＣＡＣＣ」、［ｏｎｌｉｎｅ］、パイオニア株式会社、［平成１４年１１月１日検索］、インターネット＜ＵＲＬ：ｈｔｔｐ：／／ｗｗｗ．ｐｉｏｎｅｅｒ．ｃｏ．ｊｐ／ｄ−ｅ−ｓ／ｃｏｎｔｅｎｔｓ／ｈｏｍｅｔｈｅａｔｅｒ／ａ／ａｖ−ａｍｐ／ａｘ１０＿ｔｏｐｉｃ／ｍｃａｃｃ／ｍｃａｃｃ＿１．ｈｔｍ
【特許文献１】特開２００４−１５９０３７号公報
【発明の開示】
【発明が解決しようとする課題】
【００１０】
然しながら、特許文献１に示す如き、自動音響調整機能を搭載したＡＶアンプ装置１００を使用した音響調整装置は聴取者（聴取位置）の周囲に配置されたスピーカＬ，Ｃ，Ｒ，ＳＬ，ＳＲ，Ｓｕｂよりテスト音声を放音し、聴取位置に設置されたマイクロホンＭｉｃにより収音し、この収音した収音テスト信号と元のテスト信号とを信号処理により音響解析を行い、この解析結果に基づいて各チャンネルに対する調整パラメータを生成し、各チャンネルの音声信号に対して最適な調整を施すようにしているので、聴取者が演奏中に聴取位置を変更することはできない。
【００１１】
即ち、演奏中にスピーカＬ，Ｃ，Ｒ，ＳＬ，ＳＲ，Ｓｕｂからテスト音声を放音し、マイクロホンＭｉｃで収音するようにしたときには、ハウリング等ノイズが発生することとなる。
【００１２】
本発明は、斯る点に鑑み、演奏中に聴取位置を変更しても各チャンネルの音声信号に対して最適な調整を施すことができるようにすることを目的とする。
【課題を解決するための手段】
【００１３】
本発明音響調整装置は、本発明所定位置に配置された複数のスピーカと、この複数のスピーカに各々音声信号を供給すると共にこの各々の音声信号の調整処理をする音響調整手段と、この複数のスピーカの各々に対応して設けた複数の受信装置と、聴取位置に配した無線送信装置と、この複数の受信装置よりの受信信号が供給され、この聴取位置の相対位置を検出する相対位置検出手段とを有し、任意時にこの相対位置検出手段の出力信号に応じて、この音響調整手段においてこの各々の音声信号に対して所望の調整処理を行うようにしたものである。
【発明の効果】
【００１４】
本発明によれば、聴取位置に無線送信装置を配し、複数のスピーカの各々に受信装置を設け、この受信装置の受信信号により聴取位置を検出することができ、演奏中でも、何等支障なく相対位置検出手段の出力信号に応じて、音響調整手段において、各々の音声信号に対して所望の調整処理を行うことができる。
【発明を実施するための最良の形態】
【００１５】
以下、図１〜図４を参照して音響調整装置を実施するための最良の形態の例につき説明する。
【００１６】
図１は本例による音響調整装置を全体として示し、図１において、１は音響調整手段を構成する従来周知の自動音響調整機能を搭載したＡＶアンプ装置を示す。このＡＶアンプ装置１には、図示しないが、ＤＶＤ装置、ＣＤ（Compact Disc）プレーヤ、ＶＴＲ（Video Tape Recorder)、衛星放送受信機等の種々のＡＶ機器が接続され、これらからの音声信号や映像信号の供給を受けるようにされている。尚、本例では映像信号の処理系は省略する。
【００１７】
このＡＶアンプ装置１には、図１に示すように、５．１チャンネルのマルチチャンネルのコンテンツに対応可能なホームシアターの聴取者前方に配置される左スピーカＳＰ１、サブウーハーＳＰ２、センタースピーカＳＰ３、右スピーカＳＰ４、聴取者の後方に配置される左リアスピーカＳＰ５、右リアスピーカＳＰ６が接続される。
【００１８】
本例においては、聴取位置（聴取者のリスニングポイント）に無線送信装置２を配置する。この無線送信装置２は聴取者が持ち運ぶようにしても良い。
【００１９】
この無線送信装置２は、図２に示す如く中央制御装置（ＣＰＵ）２ａの指示に従って無線信号を作成する無線信号作成部２ｂを有する。この無線信号作成部２ｂは操作ボタン２ｃが操作されたときにＣＰＵ２ａにより決定された所定レベル及び所定周波数の無線（電波）信号を発生する。
【００２０】
この無線信号の周波数は可聴周波数帯域以上例えば３０ｋＨｚ以上の周波数とし音声の周波数と干渉しない如くする。この無線信号作成部２ｂで作成した無線信号を送信部２ｄ及びアンテナ２ｅを介して送信する。この図２において、２ｆは所定のプログラム等が記憶されたＲＯＭであり、２ｇはこのＣＰＵ２ａの設定を行うのに使用されるＲＡＭである。
【００２１】
この無線送信装置２は操作ボタン２ｃが操作されたときに所定レベルの所定周波数の無線信号を送信する如くなされたものである。
【００２２】
本例においては、複数例えば５．１チャンネルのスピーカＳＰ１，ＳＰ２‥‥ＳＰ６に夫々受信装置Ｒ１，Ｒ２‥‥Ｒ６を設ける。この受信装置Ｒ１，Ｒ２‥‥Ｒ６は図３に示す如く同様に構成されたものである。
【００２３】
この受信装置Ｒ１，Ｒ２‥‥Ｒ６は図３に示す如く、受信アンテナ３ａよりの無線信号を受信部３ｂを介して受信レベル検出部３ｃに供給する。この受信レベル検出部３ｃはＣＰＵ３ｄの指示に従って所定周波数の受信レベルを指示に従った時間に検出する如くする。
【００２４】
即ち本例においては、この６個の受信装置Ｒ１，Ｒ２‥‥Ｒ６が同時刻に一斉に所定周波数の受信レベルを検出する如くする。この受信レベルを出力端子３ｅに得るようにする。この図３において、３ｆは、所定のプログラム等が記憶されたＲＯＭであり、３ｇはＣＰＵ３ｄの動作を行うワークＲＡＭである。
【００２５】
この６個の受信装置Ｒ１，Ｒ２‥‥Ｒ６の夫々の出力端子３ｅに得られる受信レベルを相対位置検出装置４に夫々供給し、この相対位置検出装置４においては、この無線送信装置２の配された聴取位置と受信装置Ｒ１，Ｒ２‥‥Ｒ６が設けられたスピーカＳＰ１，ＳＰ２‥‥ＳＰ６の位置との相対位置を、之等の受信レベルより解析処理して求める。
【００２６】
この相対位置検出装置４にて得られる聴取位置とスピーカＳＰ１，ＳＰ２‥‥ＳＰ６の位置との相対位置情報よりＡＶアンプ装置１に供給する調整パラメータ（調整情報）を形成してＡＶアンプ装置１に供給する。このＡＶアンプ装置１では、この相対位置検出装置４からの調整パラメータを用いて、各音声チャンネルの音声信号に対して調整を施すようにして、聴取位置において、良好な再生音場を形成するようにする。
【００２７】
次に、このＡＶアンプ装置１の構成例について説明する。図４は、このＡＶアンプ装置１の構成例を説明するためのブロック図である。図４に示すように、このＡＶアンプ装置１は、アナログ入力端子ＩＮ１、ＤＶＤ装置、ＣＤプレーヤ、ＶＴＲ、衛星放送受信機などからの出力音声信号の入力端子ＩＮ２、ＩＮ３、ＩＮ４、ＩＮ５を備えている。
【００２８】
また、図４に示すように、ＡＶアンプ装置１は、Ａ／Ｄ変換部１２、インプットセレクタ１３、ＤＳＰ１４、各音声チャンネルに対応して設けられるＤ／Ａ変換部１５（１）〜１５（６）、各音声チャンネルに対応して設けられる増幅部１６（１）〜１６（６）、各音声チャンネルに対応する出力端子ＯＴ１〜ＯＴ６を備えるとともに、各部を制御するための制御部１８を備えている。
【００２９】
制御部１８は、ＣＰＵ（Central Processing Unit）１８１、ＲＯＭ（Read Only Memory）１８２、ＲＡＭ（Random Access Memory）１８３がＣＰＵバス１８４を通じて接続されて構成されたマイクロコンピュータである。この制御部１８には、図４に示すように、キー操作部１９、リモコン信号受光部２０、ＬＣＤ（Liquid Crystal Display）２１、通信インターフェース（以下、通信Ｉ／Ｆという。）２２が接続されている。また、通信Ｉ／Ｆ２２は、通信用入出力端子２３に接続されている。
【００３０】
アナログ入力端子ＩＮ１を通じて入力されたアナログ音声信号は、Ａ／Ｄ変換部１２においてデジタル信号に変換された後にインプットセレクタ１３に供給される。
【００３１】
また、インプットセレクタ１３には、入力端子ＩＮ２〜ＩＮ５を通じて受け付けた音声信号も入力するようにされている。インプットセレクタ１３は、キー操作部１９やリモコン信号受光部２０通じて受け付けた使用者からの指示入力に応じて、後段のＤＳＰ１４に供給する音声信号を選択する。
【００３２】
ＤＳＰ１４は、これに供給される音声信号に対して種々の処理を行うものである。ＤＳＰ１４は、例えば、マルチチャンネル方式にエンコードされた音声信号をデコードして、各音声チャンネルの音声信号に分ける処理を行う。また、ＤＳＰ１４は、各音声チャンネルの音声信号に対して、音量レベルの調整、スピーカと聴取位置と間の距離感の調整、周波数特性の調整など種々の調整処理を施すことも行う。なお、図４においては、音声チャンネルをｃｈと記載している。
【００３３】
このＤＳＰ１４は、制御部１８により制御され、制御部１８から音響調整用の調整パラメータの提供を受け、これを設定することにより、音声チャンネル毎に音声信号に施す種々の調整処理を変更することができるものである。そして、ＤＳＰ１４において形成された各音声チャンネルの音声信号は、各音声チャンネルに対応するＤ／Ａ変換部１５（１）〜１５（６）においてアナログ信号に変換され、対応する増幅部１６（１）〜１６（６）で増幅され、対応する出力端子ＯＴ１〜ＯＴ６を通じて出力されて、各スピーカに供給するようにされる。
【００３４】
また、ＡＶアンプ装置１は相対位置検出装置４からの調整パラメータを入出力端子２３、通信Ｉ／Ｆ２２を通して受け、制御部１８に供給する。制御部１８は供給された相対位置検出装置４からの調整パラメータをＤＳＰ１４に対して設定する。このようにして、このＡＶアンプ装置１は、使用者の手を煩わせることなく、自動的にＡＶアンプ装置１の各音声チャンネルの音声信号に対して、適正な調整を施すことができる。
【００３５】
以上述べた如く本例によれば、聴者位置に無線送信装置２を配し、複数のスピーカＳＰ１，ＳＰ２‥‥ＳＰ６の各々に受信装置Ｒ１，Ｒ２‥‥Ｒ６を設け、この受信装置Ｒ１，Ｒ２‥‥Ｒ６の受信信号により聴取位置を検出することができ、演奏中でも、何等支障なく相対位置検出装置４の出力信号に応じて、ＡＶアンプ装置１において、各々の音声信号に対して所望の調整処理を行うことができる。
【００３６】
尚、本発明は、上述例に限ることなく本発明の要旨を逸脱することなく、その他種々の構成が採り得ることは勿論である。
【図面の簡単な説明】
【００３７】
【図１】本発明音響調整装置を実施するための最良の形態の例を示す構成図である。
【図２】無線送信装置の例を示す構成図である。
【図３】受信装置の例を示す構成図である。
【図４】ＡＶアンプ装置の例を示す構成図である。
【図５】従来の音響調整装置の例を示す構成図である。
【図６】図５の例に適用したＡＶアンプ装置の例を示す構成図である。
【符号の説明】
【００３８】
１・・・ＡＶアンプ装置、２・・・無線送信装置、４・・・相対位置検出装置、ＳＰ１，ＳＰ２‥‥ＳＰ６・・・スピーカ、Ｒ１，Ｒ２‥‥Ｒ６・・・受信装置
【図１】
2006254361.tif 000003
【図２】
2006254361.tif 000004
【図３】
2006254361.tif 000005
【図４】
2006254361.tif 000006
【図５】
2006254361.tif 000007
【図６】
2006254361.tif 000008